(57)【特許請求の範囲】
【請求項１】
製造対象機器の開発及び製造に関する複数の共有対象情報の共有を支援する情報共有支援装置であって、
前記複数の共有対象情報の各々に複数のタグのうちの選択されたタグを付与するタグ付与部と、
前記複数の共有対象情報の各々に付与されたタグに基づき、前記複数の共有対象情報を相互に関連付けて管理する共有対象情報管理部と、を備え、
前記複数の共有対象情報は、基本共有対象情報と、前記製造対象機器の製造現場の担当者により前記基本共有対象情報に対して追加的に入力される追加共有対象情報と、含み、
前記追加共有対象情報に付与されるタグは、対応する前記基本共有対象情報に付与されたタグを含む
ことを特徴とする情報共有支援装置。
【請求項２】
前記基本共有対象情報は、前記製造対象機器の開発者により入力された情報を含むことを特徴とする請求項１記載の情報共有支援装置。
【請求項３】
前記複数のタグは、予め記憶されている初期タグと、前記タグ付与部により生成される追加タグと、を含むことを特徴とする請求項１記載の情報共有支援装置。
【請求項４】
前記タグ付与部は、前記複数の共有対象情報の各々に付与されるタグを自動的に選択する機能を有することを特徴とする請求項１記載の情報共有支援装置。
【請求項５】
前記複数の共有対象情報を含む画面を前記担当者用の端末装置又は表示装置に表示させる制御を実行するユーザインタフェース制御部を備え、
前記画面において、前記複数の共有対象情報の各々に付与されたタグに基づき、前記複数の共有対象情報が前記製造対象機器の製造工程に基づく順序に配置される
ことを特徴とする請求項１記載の情報共有支援装置。
【請求項６】
前記複数の共有対象情報の各々に付与されたタグに基づき、前記複数の共有対象情報に対する検索処理を実行する共有対象情報検索部を備え、
前記ユーザインタフェース制御部は、前記検索処理の結果に応じて、前記画面における前記複数の共有対象情報の各々の表示態様又は表示有無を設定する
ことを特徴とする請求項５記載の情報共有支援装置。
【請求項７】
前記画面は、前記複数のタグのうちの前記検索処理の対象となるタグを選択するチェックボックスを含むことを特徴とする請求項６記載の情報共有支援装置。
【請求項８】
前記画面は、前記画面の閲覧者の属性を選択するチェックボックスを含み、
前記ユーザインタフェース制御部は、前記複数のタグのうちの前記チェックボックスにより選択された属性に対応するタグに応じて、前記画面における前記複数の共有対象情報の各々の表示態様又は表示有無を設定する
ことを特徴とする請求項５記載の情報共有支援装置。
【請求項９】
前記複数の共有対象情報は、前記製造対象機器の製造に用いられる複数の物品に対応する複数の識別コードを示す情報を含み、
前記複数の識別コードのうちのいずれかの識別コードが前記担当者用の端末装置又はコードリーダにより読み取られたとき、前記複数の共有対象情報の各々に付与されたタグに基づき、前記複数の共有対象情報のうちの当該読み取られた識別コードに対応する物品に関連する情報を含む画面を前記端末装置に表示させる制御を実行するユーザインタフェース制御部を備える
ことを特徴とする請求項１記載の情報共有支援装置。
【請求項１０】
製造対象機器の開発及び製造に関する複数の共有対象情報の共有を支援する情報共有支援システムであって、
前記複数の共有対象情報の各々に複数のタグのうちの選択されたタグを付与するタグ付与部と、
前記複数の共有対象情報の各々に付与されたタグに基づき、前記複数の共有対象情報を相互に関連付けて管理する共有対象情報管理部と、を備え、
前記複数の共有対象情報は、基本共有対象情報と、前記製造対象機器の製造現場の担当者により前記基本共有対象情報に対して追加的に入力される追加共有対象情報と、含み、
前記追加共有対象情報に付与されるタグは、対応する前記基本共有対象情報に付与されたタグを含む
ことを特徴とする情報共有支援システム。
【発明の詳細な説明】
【技術分野】
【０００１】
本発明は、情報共有支援装置及び情報共有支援システムに関する。
【背景技術】
【０００２】
従来、エレベータの整備に用いられる情報を当該エレベータの整備工に提供するシステムが開発されている（例えば、特許文献１参照。）。
【先行技術文献】
【特許文献】
【０００３】
【特許文献１】特開２００２−３１６７７９号公報
【発明の概要】
【発明が解決しようとする課題】
【０００４】
従来、エレベータの開発者が所有している情報を当該エレベータの製造現場の担当者に提供するシステムが開発されている。これにより、当該エレベータの製造現場の担当者は、当該エレベータの開発者が所有している情報を当該エレベータの開発者と共有することができる。【０００５】
しかしながら、従来のシステムは、当該エレベータの製造現場の担当者により取得された情報、すなわち当該エレベータの製造現場にて取得された情報を当該エレベータの開発者にフィードバックすることができない。このため、当該エレベータの開発者は、当該エレベータの製造現場にて取得された情報を当該エレベータの製造現場の担当者と共有することができない。この結果、開発者及び製造現場の担当者による情報共有が不十分であるという問題があった。【０００６】
また、従来のシステムは、当該エレベータの開発者が所有している情報と、当該エレベータの製造現場にて取得された情報とを相互に関連付けて管理することができない。このため、これらの情報の検索性が低いという問題があった。【０００７】
本発明は、上記のような課題を解決するためになされたものであり、エレベータ等の機器の開発及び製造に関する情報の共有を促進するとともに、これらの情報の検索性を向上することを目的とする。
【課題を解決するための手段】
【０００８】
本発明の情報共有支援装置は、製造対象機器の開発及び製造に関する複数の共有対象情報の共有を支援する情報共有支援装置であって、複数の共有対象情報の各々に複数のタグのうちの選択されたタグを付与するタグ付与部と、複数の共有対象情報の各々に付与されたタグに基づき、複数の共有対象情報を相互に関連付けて管理する共有対象情報管理部と、を備え、複数の共有対象情報は、基本共有対象情報と、製造対象機器の製造現場の担当者により基本共有対象情報に対して追加的に入力される追加共有対象情報と、含み、追加共有対象情報に付与されるタグは、対応する基本共有対象情報に付与されたタグを含むものである。
【発明の効果】
【０００９】
本発明によれば、上記のように構成したので、エレベータ等の機器の開発及び製造に関する情報の共有を促進するとともに、これらの情報の検索性を向上することができる。
【図面の簡単な説明】
【００１０】
【図１】実施の形態１に係る情報共有支援システムのシステム構成を示す説明図である。
【図２】実施の形態１に係る情報共有支援システムに含まれる第１端末装置の要部を示すブロック図である。
【図３】実施の形態１に係る情報共有支援システムに含まれる第２端末装置の要部を示すブロック図である。
【図４】実施の形態１に係る情報共有支援システムに含まれるサーバ装置の要部を示すブロック図である。
【図５】実施の形態１に係る情報共有支援装置の要部を示すブロック図である。
【図６Ａ】実施の形態１に係る情報共有支援装置のハードウェア構成を示す説明図である。
【図６Ｂ】実施の形態１に係る情報共有支援装置の他のハードウェア構成を示す説明図である。
【図７Ａ】実施の形態１に係る情報共有支援装置の動作を示すフローチャートである。
【図７Ｂ】実施の形態１に係る情報共有支援装置の他の動作を示すフローチャートである。
【図７Ｃ】実施の形態１に係る情報共有支援装置の他の動作を示すフローチャートである。
【図７Ｄ】実施の形態１に係る情報共有支援装置の他の動作を示すフローチャートである。
【図７Ｅ】実施の形態１に係る情報共有支援装置の他の動作を示すフローチャートである。
【図８】開発者用の画面の例を示す説明図である。
【図９】現場担当者用の画面の例を示す説明図である。
【図１０】現場担当者用の他の画面の例を示す説明図である。
【図１１】現場担当者用の他の画面の例を示す説明図である。
【図１２】開発者用の他の画面の例を示す説明図である。
【図１３】現場担当者用の他の画面の例を示す説明図である。
【図１４】開発者用の他の画面の例を示す説明図である。
【図１５】開発者用の他の画面の例を示す説明図である。
【図１６】投影装置により投影される画像の例を示す説明図である。
【図１７】実施の形態１に係る他の情報共有支援装置の要部を示すブロック図である。
【図１８】実施の形態１に係る他の情報共有支援装置の要部を示すブロック図である。
【図１９】実施の形態２に係る情報共有支援システムのシステム構成を示す説明図である。
【図２０】実施の形態２に係る情報共有支援システムに含まれるサーバ装置の要部を示すブロック図である。
【図２１】実施の形態２に係る情報共有支援装置の要部を示すブロック図である。
【図２２Ａ】実施の形態２に係る情報共有支援装置の動作を示すフローチャートである。
【図２２Ｂ】実施の形態２に係る情報共有支援装置の他の動作を示すフローチャートである。
【図２３】実施の形態２に係る他の情報共有支援装置の要部を示すブロック図である。
【図２４】実施の形態２に係る他の情報共有支援装置の要部を示すブロック図である。
【発明を実施するための形態】
【００１１】
以下、この発明をより詳細に説明するために、この発明を実施するための形態について、添付の図面に従って説明する。
【００１２】
実施の形態１．
図１は、実施の形態１に係る情報共有支援システムのシステム構成を示す説明図である。図１を参照して、実施の形態１の情報共有支援システム２００について説明する。
【００１３】
情報共有支援システム２００は、開発及び製造の対象となる機器（以下「製造対象機器」という。）の開発及び製造に関する複数の情報（以下「共有対象情報」という。）の共有を支援するものである。当該複数の共有対象情報は、製造対象機器の開発及び製造に関する情報であれば、如何なる情報をも含み得るものである。
【００１４】
例えば、当該複数の共有対象情報は、製造対象機器の仕様を示す情報、製造対象機器の製造に用いられる各種物品（治具、工具、部品等）の仕様を示す情報、製造対象機器の製造に用いられる各種マニュアルを示す情報、製造対象機器の開発及び製造に用いられる各種図面を示す情報、製造対象機器の製造に用いられる各種リストを示す情報、製造対象機器の製造における各種手順を示す情報、製造対象機器の製造における各種スケジュールを示す情報、製造対象機器の製造における各種報告を示す情報、及び製造対象機器の開発及び製造に関する基本的な情報を含むものである。ただし、上記のとおり、当該複数の共有対象情報は、これらの具体例に限定されるものではない。
【００１５】
以下、製造対象機器の開発者（自然人及び法人を含む。）を単に「開発者」ということがある。通常、開発者（自然人）は、開発者（法人）により雇用されており、かつ、開発者（法人）における製造対象機器の開発部門に所属している。以下、製造対象機器の開発部門を単に「開発部門」ということがある。通常、開発部門は複数の部署を含むものであり、当該複数の部署の各々に一又は複数の開発者（自然人）が所属している。
【００１６】
以下、製造対象機器の製造現場の担当者（自然人及び法人を含む。また、製造担当者及び営業担当者などを含む。）を単に「現場担当者」ということがある。通常、現場担当者（自然人）は、現場担当者（法人）による指揮監督の下、製造対象機器の製造現場にて製造対象機器の製造等に従事する。以下、製造対象機器の製造現場を単に「製造現場」ということがある。通常、複数の製造現場の各々にて、一又は複数の現場担当者（自然人）が製造対象機器の製造等に従事する。
【００１７】
製造対象機器は、例えば、エレベータである。通常、エレベータは、建物に据え付けられるものであり、かつ、据付け対象となる建物の建築現場にて組み立てられるものである。すなわち、エレベータの製造現場は、当該エレベータの組立て現場であり、かつ、当該エレベータの据付け現場であり、かつ、当該エレベータの据付け対象となる建物の建築現場である。また、エレベータの「製造」とは、建築現場における組立て及び据付けなどのことである。以下、製造対象機器がエレベータである場合の例を中心に説明する。以下、図面において、エレベータを「エレ」と記載することがある。
【００１８】
図１に示す如く、情報共有支援システム２００は、開発者用の端末装置（以下「第１端末装置」という。）１、現場担当者用の端末装置（以下「第２端末装置」という。）２、及びサーバ装置３を含むものである。第１端末装置１は、例えば、ＰＣ（Ｐｅｒｓｏｎａｌ  Ｃｏｍｐｕｔｅｒ）又はワークステーションにより構成されている。第２端末装置２は、例えば、スマートフォン、タブレットＰＣ又はスマートグラスにより構成されている。第１端末装置１及び第２端末装置２の各々は、コンピュータネットワーク４により、サーバ装置３と通信自在である。
【００１９】
また、情報共有支援システム２００は、現場担当者用の表示装置５を含むものであっても良い。表示装置５は、例えば、液晶ディスプレイ又は有機ＥＬ（Ｅｌｅｃｔｒｏ  Ｌｕｍｉｎｅｓｃｅｎｃｅ）ディスプレイにより構成されている。表示装置５は、コンピュータネットワーク４により、第２端末装置２又はサーバ装置３のうちの少なくとも一方と通信自在である。
【００２０】
また、情報共有支援システム２００は、現場担当者用の印刷機６を含むものであっても良い。印刷機６は、例えば、プリンタにより構成されている。印刷機６は、コンピュータネットワーク４により、第２端末装置２又はサーバ装置３のうちの少なくとも一方と通信自在である。
【００２１】
また、情報共有支援システム２００は、製造現場用の投影装置７を含むものであっても良い。投影装置７は、例えば、プロジェクタにより構成されている。投影装置７は、コンピュータネットワーク４により、第２端末装置２又はサーバ装置３のうちの少なくとも一方と通信自在である。
【００２２】
次に、図２を参照して、第１端末装置１について説明する。
【００２３】
上記のとおり、第１端末装置１は、例えば、ＰＣ又はワークステーションにより構成されている。したがって、図２に示す如く、第１端末装置１は、通信部１１、制御部１２、操作入力部１３及び表示部１４を有している。
【００２４】
通信部１１は、例えば、有線通信用の送信機及び受信機、又は無線通信用の送信機及び受信機により構成されている。通信部１１は、コンピュータネットワーク４に接続自在である。制御部１２は、例えば、プロセッサ及びメモリ、又は処理回路により構成されている。操作入力部１３は、例えば、キーボード及びマウスにより構成されている。表示部１４は、例えば、液晶ディスプレイ又は有機ＥＬディスプレイにより構成されている。
【００２５】
次に、図３を参照して、第２端末装置２について説明する。
【００２６】
上記のとおり、第２端末装置２は、例えば、スマートフォン、タブレットＰＣ又はスマートグラスにより構成されている。したがって、図３に示す如く、第２端末装置２は、通信部２１、制御部２２、操作入力部２３、表示部２４、音声出力部２５及び撮像部２６を有している。
【００２７】
通信部２１は、例えば、無線通信用の送信機及び受信機により構成されている。通信部２１は、コンピュータネットワーク４に接続自在である。制御部２２は、例えば、プロセッサ及びメモリ、又は処理回路により構成されている。操作入力部２３は、例えば、タッチパネル、ハードウェアボタン、又は音声入力用のマイクのうちの少なくとも一つにより構成されている。表示部２４は、例えば、液晶ディスプレイ、有機ＥＬディスプレイ、又は眼鏡状のＨＵＤ（Ｈｅａｄ−Ｕｐ  Ｄｉｓｐｌａｙ）により構成されている。音声出力部２５は、例えば、スピーカにより構成されている。撮像部２６は、例えば、可視光カメラにより構成されている。
【００２８】
次に、図４を参照して、サーバ装置３について説明する。また、図５を参照して、実施の形態１の情報共有支援装置１００について説明する。
【００２９】
図４に示す如く、サーバ装置３は、通信部３１及び制御部３２を有している。通信部３１は、例えば、有線通信用の送信機及び受信機、又は無線通信用の送信機及び受信機により構成されている。通信部３１は、コンピュータネットワーク４に接続自在である。制御部３２は、例えば、プロセッサ６１及びメモリ６２，６３、又は処理回路６４及びメモリ６３により構成されている。制御部３２のハードウェア構成については、図６を参照して後述する。
【００３０】
第１端末装置１の制御部１２は、第１端末装置１全体の動作を制御するものである。第２端末装置２の制御部２２は、第２端末装置２全体の動作を制御するものである。サーバ装置３の制御部３２は、サーバ装置３全体の動作を制御するものである。制御部１２，３２は、通信部１１，３１間の通信により相互に連携自在である。制御部２２，３２は、通信部２１，３１間の通信により相互に連携自在である。これらの制御及び連携により、サーバ装置３の制御部３２にて、以下の各部に対応する機能が実現される。
【００３１】
共有対象情報取得部４１は、上記複数の共有対象情報のうちのいずれか一以上の共有対象情報が開発者により第１端末装置１に入力されたとき、当該入力された共有対象情報を取得するものである。以下、当該入力される共有対象情報、すなわち当該入力された共有対象情報を「第１入力情報」ということがある。また、以下、開発者のうちの第１入力情報を入力する者、すなわち開発者のうちの第１入力情報を入力した者を「第１入力者」ということがある。
【００３２】
また、共有対象情報取得部４１は、上記複数の共有対象情報のうちのいずれか一以上の共有対象情報が現場担当者により第２端末装置２に入力されたとき、当該入力された共有対象情報を取得するものである。以下、当該入力される共有対象情報、すなわち当該入力された共有対象情報を「第２入力情報」ということがある。また、以下、現場担当者のうちの第２入力情報を入力する者、すなわち現場担当者のうちの第２入力情報を入力した者を「第２入力者」ということがある。
【００３３】
以下、第１入力情報及び第２入力情報を総称して「入力情報」ということがある。また、以下、第１入力者及び第２入力者を総称して「入力者」ということがある。
【００３４】
タグ付与部４２は、共有対象情報取得部４１により取得された個々の入力情報に対して、複数のタグのうちの選択された一以上のタグを付与する処理（以下「タグ付与処理」という。）を実行するものである。当該複数のタグは、製造対象機器の開発及び製造に関する事物を示すタグであれば、如何なる事物を示すタグをも含み得るものである。
【００３５】
例えば、当該複数のタグは、当該タグが付与された情報を閲覧可能な者の属性を示すタグ、当該タグが付与された情報に対応するエレベータに関する事物（機種、型名、昇降速度、容量、扉開閉方式、レイアウト、オプション等）を示すタグ、当該タグが付与された情報に対応する建物に関する事物（工法、工程、物件等）を示すタグ、及び当該タグが付与された情報に対応するエレベータの製造に用いられる物品（治具、工具、部品等）に関する事物を示すタグを含むものである。ただし、上記のとおり、当該複数のタグは、これらの具体例に限定されるものではない。以下、図面において、エレベータの型名を「コード」と記載することがある。
【００３６】
個々の第１入力情報に付与されるタグは、上記複数のタグのうちのタグ付与部４２により自動的に選択されたタグを含むものであっても良い。同様に、個々の第２入力情報に付与されるタグは、上記複数のタグのうちのタグ付与部４２により自動的に選択されたタグを含むものであっても良い。すなわち、タグ付与部４２は、個々の入力情報に付与されるタグを自動的に選択する機能を有するものであっても良い。
【００３７】
また、個々の第１入力情報に付与されるタグは、上記複数のタグのうちの第１入力者による第１端末装置１に対する操作入力により選択されたタグを含むものであっても良い。同様に、個々の第２入力情報に付与されるタグは、上記複数のタグのうちの第２入力者による第２端末装置２に対する操作入力により選択されたタグを含むものであっても良い。すなわち、個々の入力情報に付与されるタグは、上記複数のタグのうちの入力者により選択されたタグを含むものであっても良い。
【００３８】
また、上記複数のタグは、タグ付与部４２に予め記憶されているタグ（以下「初期タグ」ということがある。）に加えて、タグ付与部４２により追加的に生成されるタグ（以下「追加タグ」ということがある。）を含むものであっても良い。すなわち、タグ付与部４２は、追加タグを生成する機能を有するものであっても良い。
【００３９】
例えば、個々の入力情報が入力された日時を示すタグは、当該機能により生成されて、タグ付与部４２により自動的に付与されるものであっても良い。また、例えば、複数の製造現場のうちの個々の第２入力情報に対応する製造現場を示すタグは、個々の第２入力情報が入力されたときの第２端末装置２の位置座標に基づき、当該機能により生成されて、タグ付与部４２により自動的に付与されるものであっても良い。
【００４０】
共有対象情報管理部４３は、タグ付与部４２により個々の入力情報に付与されたタグに基づき、これらの入力情報を相互に関連付けて管理するものである。より具体的には、共有対象情報管理部４３は、個々の入力情報に付与されたタグに基づき、これらの入力情報が相互に関連付けられたデータベース（以下「共有対象情報データベース」という。）４４を作成及び記憶するものである。共有対象情報管理部４３は、共有対象情報取得部４１が新たな入力情報を取得して、タグ付与部４２が当該新たな入力情報にタグを付与したとき、当該新たな入力情報を共有対象情報データベース４４に追加するとともに、当該新たな入力情報に付与されたタグを示す情報を共有対象情報データベース４４に追加する。以下、図面において、データベースを「ＤＢ」と記載することがある。
【００４１】
共有対象情報検索部４５は、個々の入力情報に付与されたタグに基づき、共有対象情報データベース４４内の共有対象情報（すなわち過去の入力情報）に対して、いわゆる「絞込み検索」の処理（以下「検索処理」という。）を実行するものである。検索処理は、例えば、検索処理の実行を指示する操作が現場担当者により第２端末装置２に入力されたとき、当該入力された操作に応じて実行される。
【００４２】
共有対象情報ソート部４６は、個々の入力情報に付与されたタグに基づき、共有対象情報検索部４５による検索処理の結果に含まれる一以上の共有対象情報をソートする処理（以下「ソート処理」という。）を実行するものである。ソート処理は、例えば、ソート処理の実行を指示する操作が現場担当者により第２端末装置２に入力されたとき、当該入力された操作に応じて実行される。
【００４３】
共有対象情報更新部４７は、共有対象情報データベース４４内の共有対象情報のうちの一部の共有対象情報（以下「更新対象情報」という。）を更新する処理（以下「通常更新処理」という。）を実行するものである。通常更新処理は、例えば、通常更新処理の実行を指示する操作が開発者により第１端末装置１に入力されたとき、当該入力された操作に応じて実行される。
【００４４】
また、共有対象情報更新部４７は、更新対象情報を更新するとともに、個々の入力情報に付与されたタグに基づき、共有対象情報データベース４４内の共有対象情報のうちの更新対象情報と関連付けられた一以上の共有対象情報を更新する処理（以下「一括更新処理」という。）を実行するものである。一括更新処理は、例えば、一括更新処理の実行を指示する操作が開発者により第１端末装置１に入力されたとき、当該入力された操作に応じて実行される。
【００４５】
ユーザインタフェース制御部４８は、第１端末装置１の表示部１４に開発者用の各種画面を表示させる制御を実行するとともに、これらの画面によるユーザインタフェースを制御するものである。また、ユーザインタフェース制御部４８は、第２端末装置２の表示部２４に現場担当者用の各種画面を表示させる制御を実行するとともに、これらの画面によるユーザインタフェースを制御するものである。
【００４６】
これに加えて、ユーザインタフェース制御部４８は、表示装置５に現場担当者用の各種画面を表示させる制御を実行するとともに、これらの画面によるユーザインタフェースを制御するものであっても良い。また、ユーザインタフェース制御部４８は、投影装置７に製造現場用の各種画像を投影させる制御を実行するものであっても良い。以下、図面において、ユーザインタフェースを「ＵＩ」と記載することがある。
【００４７】
共有対象情報取得部４１、タグ付与部４２、共有対象情報管理部４３、共有対象情報検索部４５、共有対象情報ソート部４６及び共有対象情報更新部４７により、情報共有支援制御部４９の要部が構成されている。ユーザインタフェース制御部４８及び情報共有支援制御部４９により、制御部３２の要部が構成されている。また、ユーザインタフェース制御部４８及び情報共有支援制御部４９により、情報共有支援装置１００の要部が構成されている。
【００４８】
次に、図６を参照して、制御部３２の要部のハードウェア構成、すなわち情報共有支援装置１００の要部のハードウェア構成について説明する。
【００４９】
図６Ａに示す如く、情報共有支援装置１００はプロセッサ６１、メモリ６２及びメモリ６３を有している。メモリ６２には、共有対象情報取得部４１、タグ付与部４２、共有対象情報管理部４３、共有対象情報検索部４５、共有対象情報ソート部４６、共有対象情報更新部４７及びユーザインタフェース制御部４８の機能に対応するプログラムが記憶されている。当該記憶されているプログラムをプロセッサ６１が読み出して実行することにより、共有対象情報取得部４１、タグ付与部４２、共有対象情報管理部４３、共有対象情報検索部４５、共有対象情報ソート部４６、共有対象情報更新部４７及びユーザインタフェース制御部４８の機能が実現される。ただし、共有対象情報管理部４３のうちの共有対象情報データベース４４の機能は、メモリ６３により実現される。
【００５０】
または、図６Ｂに示す如く、情報共有支援装置１００はメモリ６３及び処理回路６４を有している。この場合、共有対象情報取得部４１、タグ付与部４２、共有対象情報管理部４３、共有対象情報検索部４５、共有対象情報ソート部４６、共有対象情報更新部４７及びユーザインタフェース制御部４８の機能が専用の処理回路６４により実現される。ただし、共有対象情報管理部４３のうちの共有対象情報データベース４４の機能は、メモリ６３により実現される。
【００５１】
または、情報共有支援装置１００はプロセッサ６１、メモリ６２、メモリ６３及び処理回路６４を有している（不図示）。この場合、共有対象情報取得部４１、タグ付与部４２、共有対象情報管理部４３、共有対象情報検索部４５、共有対象情報ソート部４６、共有対象情報更新部４７及びユーザインタフェース制御部４８の機能のうちの一部の機能がプロセッサ６１及びメモリ６２により実現されて、残余の機能が専用の処理回路６４により実現される。ただし、共有対象情報管理部４３のうちの共有対象情報データベース４４の機能は、メモリ６３により実現される。
【００５２】
プロセッサ６１は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、マイクロプロセッサ、マイクロコントローラ又はＤＳＰ（Ｄｉｇｉｔａｌ  Ｓｉｇｎａｌ  Ｐｒｏｃｅｓｓｏｒ）のうちの少なくとも一つにより構成されている。
【００５３】
メモリ６２は、揮発性メモリ及び不揮発性メモリにより構成されている。メモリ６２のうちの揮発性メモリは、例えば、ＲＡＭ（Ｒａｎｄｏｍ  Ａｃｃｅｓｓ  Ｍｅｍｏｒｙ）により構成されている。メモリ６２のうちの不揮発性メモリは、例えば、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＳＳＤ（Ｓｏｌｉｄ  Ｓｔａｔｅ  Ｄｒｉｖｅ）又はＨＤＤ（Ｈａｒｄ  Ｄｉｓｋ  Ｄｒｉｖｅ）のうちの少なくとも一つにより構成されている。
【００５４】
メモリ６３は、不揮発性メモリにより構成されている。具体的には、例えば、メモリ６３は、ＲＯＭ、フラッシュメモリ、ＥＰＲＯＭ、ＥＥＰＲＯＭ、ＳＳＤ又はＨＤＤのうちの少なくとも一つにより構成されている。
【００５５】
処理回路６４は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、ＳｏＣ（Ｓｙｓｔｅｍ−ｏｎ−ａ−Ｃｈｉｐ）又はシステムＬＳＩ（Ｌａｒｇｅ−Ｓｃａｌｅ  Ｉｎｔｅｇｒａｔｉｏｎ）のうちの少なくとも一つにより構成されている。
【００５６】
次に、図７のフローチャートを参照して、情報共有支援装置１００の動作について説明する。
【００５７】
図７Ａは、共有対象情報取得部４１、タグ付与部４２及び共有対象情報管理部４３の動作を示している。図７Ａに示す如く、第１端末装置１に第１入力情報が入力されたき、又は第２端末装置２に第２入力情報が入力されたとき（ステップＳＴ１“ＹＥＳ”）、共有対象情報取得部４１は、当該入力された入力情報を取得する（ステップＳＴ２）。次いで、タグ付与部４２は、当該取得された入力情報に対するタグ付与処理を実行する（ステップＳＴ３）。次いで、共有対象情報管理部４３は、当該取得された入力情報を共有対象情報データベース４４に追加する（ステップＳＴ４）。このとき、共有対象情報管理部４３は、当該取得された入力情報に付与されたタグを示す情報を、当該取得された入力情報とともに共有対象情報データベース４４に追加する。
【００５８】
図７Ｂは、共有対象情報検索部４５の動作を示している。図７Ｂに示す如く、検索処理の実行を指示する操作が第２端末装置２に入力されたとき（ステップＳＴ１１“ＹＥＳ”）、共有対象情報検索部４５は、検索処理を実行する（ステップＳＴ１２）。
【００５９】
図７Ｃは、共有対象情報ソート部４６の動作を示している。図７Ｃに示す如く、ソート処理の実行を指示する操作が第２端末装置２に入力されたとき（ステップＳＴ２１“ＹＥＳ”）、共有対象情報ソート部４６は、ソート処理を実行する（ステップＳＴ２２）。
【００６０】
図７Ｄは、共有対象情報更新部４７の動作を示している。図７Ｄに示す如く、通常更新処理の実行を指示する操作が第１端末装置１に入力されたとき（ステップＳＴ３１“ＹＥＳ”）、共有対象情報更新部４７は、通常更新処理を実行する（ステップＳＴ３２）。また、一括更新処理の実行を指示する操作が第１端末装置１に入力されたとき（ステップＳＴ３１“ＮＯ”かつステップＳＴ３３“ＹＥＳ”）、共有対象情報更新部４７は、一括更新処理を実行する（ステップＳＴ３４）。
【００６１】
図７Ｅは、ユーザインタフェース制御部４８の動作を示している。図７Ｅに示す如く、ユーザインタフェース制御部４８によるユーザインタフェースの制御対象となる画面が第１端末装置１、第２端末装置２又は表示装置５に表示されているとき（ステップＳＴ４１“ＹＥＳ”）、ユーザインタフェース制御部４８は、当該表示されている画面によるユーザインタフェースを制御する（ステップＳＴ４２）。なお、当該画面は、ユーザインタフェース制御部４８による制御の下、第１端末装置１、第２端末装置２又は表示装置５に表示されているものである。
【００６２】
次に、開発者が行う作業の例、及び現場担当者が行う作業の例について説明する。また、これらの作業による入力情報の例について説明する。
【００６３】
まず、開発者は、個々のエレベータの仕様を策定するとともに、個々のエレベータの製造に用いられる各種物品（治具、工具、部品等）の仕様を策定する。開発者は、当該策定された仕様を示す情報（以下「仕様情報」ということがある。）を第１端末装置１に入力する。情報共有支援システム２００において、仕様情報は、共有対象情報（より具体的には第１入力情報）として共有対象情報データベース４４に記憶される。
【００６４】
また、開発者は、個々の製造現場毎に、対応するエレベータの製造に用いられる各種マニュアルを作成する。開発者は、当該作成されたマニュアルを示す情報（以下「マニュアル情報」ということがある。）を第１端末装置１に入力する。情報共有支援システム２００において、マニュアル情報は、共有対象情報（より具体的には第１入力情報）として共有対象情報データベース４４に記憶される。
【００６５】
以下、仕様情報及びマニュアル情報などを総称して「仕様等情報」ということがある。また、仕様情報が示す仕様、及びマニュアル情報が示すマニュアルなどを総称して「仕様等」ということがある。
【００６６】
また、開発者は、個々のエレベータの開発に用いられる各種図面を作成又は取得する。また、開発者は、個々の製造現場毎に、対応するエレベータの製造に用いられる各種図面を作成又は取得する。開発者は、当該作成又は取得された図面を示す情報（以下「図面情報」ということがある。）を第１端末装置１に入力する。情報共有支援システム２００において、図面情報は、共有対象情報（より具体的には第１入力情報）として共有対象情報データベース４４に記憶される。
【００６７】
また、開発者又は現場担当者は、個々の製造現場毎に、対応するエレベータの製造に用いられる各種リストを作成する。開発者又は現場担当者は、当該作成されたリストを示す情報（以下「リスト情報」ということがある。）を第１端末装置１又は第２端末装置２に入力する。情報共有支援システム２００において、リスト情報は、共有対象情報（より具体的には第１入力情報又は第２入力情報）として共有対象情報データベース４４に記憶される。
【００６８】
また、開発者又は現場担当者は、個々の製造現場毎に、対応するエレベータの製造における各種手順を策定する。開発者又は現場担当者は、当該策定された手順を示す情報（以下「手順情報」ということがある。）を第１端末装置１又は第２端末装置２に入力する。情報共有支援システム２００において、手順情報は、共有対象情報（より具体的には第１入力情報又は第２入力情報）として共有対象情報データベース４４に記憶される。
【００６９】
以下、図面情報、リスト情報及び手順情報などを総称して「図面等情報」ということがある。また、図面情報が示す図面、リスト情報が示すリスト、及び手順情報が示す手順などを総称して「図面等」ということがある。
【００７０】
また、開発者又は現場担当者は、個々の製造現場毎に、対応するエレベータの製造における各種スケジュールを策定する。開発者又は現場担当者は、当該策定されたスケジュールを示す情報（以下「スケジュール情報」ということがある。）を第１端末装置１又は第２端末装置２に入力する。情報共有支援システム２００において、スケジュール情報は、共有対象情報（より具体的には第１入力情報又は第２入力情報）として共有対象情報データベース４４に記憶される。
【００７１】
また、開発者は、個々の製造現場毎に、製造開始前の現地調査用の机上検討を行う。開発者は、机上検討により作成又は取得された種々の情報、及び机上検討の結果を示す情報など（以下総称して「机上検討情報」ということがある。）を第１端末装置１に入力する。情報共有支援システム２００において、机上検討情報は、共有対象情報（より具体的には第１入力情報）として共有対象情報データベース４４に記憶される。なお、机上検討情報は、図面等情報又はスケジュール情報などを含むものであっても良い。
【００７２】
また、現場担当者は、個々の製造現場毎に、製造開始前の現地調査を行う。現場担当者は、現地調査により作成又は取得された種々の情報、及び現地調査の結果を示す情報など（以下総称して「現地調査情報」ということがある。）を第２端末装置２に入力する。情報共有支援システム２００において、現地調査情報は、共有対象情報（より具体的には第２入力情報）として共有対象情報データベース４４に記憶される。
【００７３】
また、現場担当者は、個々の製造現場毎に、エレベータの製造中に発生した事物であって、開発者又は他の現場担当者に対する報告の対象となる事物に関する情報（以下「報告情報」ということがある。）を第２端末装置２に入力する。情報共有支援システム２００において、報告情報は、共有対象情報（より具体的には第２入力情報）として共有対象情報データベース４４に記憶される。
【００７４】
報告情報は、例えば、個々の製造現場にて発生した不具合に関する情報、個々の製造現場にて発生した注意事項に関する情報、個々の製造現場にて行われたエレベータ若しくは建物の改修に関する情報、又は個々の製造現場にて行われたスケジュールの改定に関する情報である。また、報告情報は、当該不具合が発生した箇所の写真、又は当該改修が行われた箇所の写真を含むものであっても良い。これらの写真は、例えば、第２端末装置２の撮像部２６により撮像されるものである。
【００７５】
また、開発者は、共有対象情報データベース４４内に蓄積された報告情報を用いて、不具合に対する対策を検討する。開発者は、対策検討の過程を示す情報、及び対策検討の結果を示す情報など（以下総称して「対策検討情報」ということがある。）を第１端末装置１に入力する。情報共有支援システム２００において、対策検討情報は、共有対象情報（より具体的には第１入力情報）として共有対象情報データベース４４に蓄積される。
【００７６】
情報共有支援システム２００においては、これらの情報の入力用の各種画面、及び、これらの情報を表示する各種画面が、第１端末装置１、第２端末装置２又は表示装置５などに表示される。これらの画面を表示させる制御、及び、これらの画面によるユーザインタフェースの制御は、上記のとおり、ユーザインタフェース制御部４８により実行される。以下、図８〜図１５を参照して、これらの画面の例、及び、これらの画面によるユーザインタフェースの例について説明する。
【００７７】
図８は、第１端末装置１における、机上検討時の入力用の画面Ｓ１の例を示している。
【００７８】
机上検討前又は机上検討中に、開発者は、据付け対象となる建物の図面を作成又は取得する。開発者は、当該作成又は取得された図面を示す情報（すなわち図面情報）を第１端末装置１に入力する。
【００７９】
机上検討において、開発者は、据付け対象となるエレベータの機種を選択する。通常、エレベータの形状は、エレベータの機種毎に異なるものである。ユーザインタフェース制御部４８は、画面Ｓ１内の領域Ａ１に、各機種のエレベータの形状を示す画像Ｉ１＿１〜Ｉ１＿３を並べて表示する。開発者は、領域Ａ１に対する操作入力により、据付け対象となるエレベータの機種を選択する。タグ付与部４２は、当該選択された機種を示すタグを、画面Ｓ１に含まれる情報、すなわち机上検討情報に自動的に付与する。また、タグ付与部４２は、当該選択された機種に対応する型名を示すタグ、及び当該選択された機種に対応する工法を示すタグなどを、これらの机上検討情報に自動的に付与する。機種、型名及び工法などの対応関係を示す情報（いわゆる「プリセット情報」）は、例えば、サーバ装置３に予め記憶されている。
【００８０】
なお、上記複数の共有対象情報のうちの一以上の共有対象情報（例えば、領域Ａ２及び領域Ａ３のうちの領域Ａ３に表示される情報）が、制御部３２により生成されることもある。タグ付与部４２は、制御部３２により生成された共有対象情報に対して、入力情報に対するタグ付与処理と同様のタグ付与処理を実行する。
【００８１】
また、ユーザインタフェース制御部４８は、画面Ｓ１内の領域Ａ４に、タグ選択用のチェックボックスＣＢ１を表示する。上記のとおり、タグ付与部４２は、領域Ａ１に対する操作入力により選択された機種を示すタグ、当該選択された機種に対応する型名を示すタグ、及び当該選択された機種に対応する工法を示すタグなどを、画面Ｓ１に含まれる情報に自動的に付与する。これに対して、開発者は、領域Ａ４に対する操作入力により、これらの情報に付与されるタグを追加又は削除することができる。
【００８２】
図９は、第２端末装置２における、現地調査時の入力用の画面Ｓ２の例を示している。
【００８３】
通常、現地調査が行われるときは、机上検討情報及び図面情報などが入力済みである。以下、これらの入力済みの共有対象情報を「基本共有対象情報」ということがある。
【００８４】
ユーザインタフェース制御部４８は、基本共有対象情報を用いて、画面Ｓ２内の領域Ａ１１に、据付け対象となる建物の図面に据付け対象となるエレベータの図面を重畳してなる画像Ｉ１１を表示する。ここで、領域Ａ１１内の画像は、第２端末装置２に対する操作入力により編集自在なものである。これにより、現場担当者は、画像Ｉ１１に対して、現地調査により取得された値（例えば寸法の実測値）を追加的に入力することができる。また、机上検討の結果と現地調査の結果との間に齟齬がある場合、現場担当者は、当該祖語に応じて、画像Ｉ１１に含まれる線を修正することができる。
【００８５】
なお、画像Ｉ１１においては、当該建物の構造物と当該エレベータとの間に間隙が形成される部分（図中Ｐ３）がハイライト表示されるものであっても良い。また、当該建物の構造物と当該エレベータとが重畳して配置される部分（図中Ｐ４）がハイライト表示されるものであっても良い。
【００８６】
また、制御部３２は、画像Ｉ１１に対する修正事項に基づき、当該建物又は当該エレベータの改修案を作成するものであっても良い。また、この場合、制御部３２は、当該作成された改修案に基づき、製造現場におけるスケジュールの改定案を作成するものであっても良い。ユーザインタフェース制御部４８は、画面Ｓ２内の領域Ａ１２に、当該作成された改修案及び改定案に関する情報を表示するものであっても良い。すなわち、この場合における改修案及び改定案は、机上検討の結果と現地調査の結果との齟齬に応じたものである。
【００８７】
ここで、画面Ｓ２により入力される情報、すなわち現地調査情報は、上記のように、基本共有対象情報に対して追加的に入力される情報を含むものである。以下、当該追加的に入力される情報、すなわち当該追加的に入力された情報を「追加共有対象情報」ということがある。
【００８８】
タグ付与部４２は、基本共有対象情報に付与されたタグと同一のタグを追加共有対象情報に自動的に付与する。これにより、現場担当者が現地調査中にタグを選択する操作を不要とすることができる。なお、元にした情報のタグを機械的に共有することで、基本共有対象情報と追加共有対象情報に関連付けができる機能を有しても良い。
【００８９】
ただし、ユーザインタフェース制御部４８は、画面Ｓ２内の領域Ａ１３に、タグ選択用のチェックボックスＣＢ１１を表示させるものであっても良い。この場合、現場担当者は、チェックボックスＣＢ１１を用いて、基本共有対象情報に付与されたタグに対して、追加共有対象情報に付与されるタグを追加又は削除することができる。ここで、基本共有対象情報に付与されたタグを「必須タグ」と「変更可能タグ」とに分け、「変更可能タグ」のみタグ選択用のチェックボックスＣＢ１１に表示する、といったように追加共有対象情報が基本共有対象情報の一部のタグを必ず共有できるようにすると基本共有対象情報と追加共有対象情報を必ず関連付けることができるため、好ましい。
【００９０】
図１０は、第２端末装置２における、現地調査の結果を表示する画面Ｓ３の例を示している。すなわち、画面Ｓ３は、現地調査後に第２端末装置２に表示される画面である。
【００９１】
ユーザインタフェース制御部４８は、画面Ｓ３内の領域Ａ２１に、画面Ｓ２における画像Ｉ１１に対応する画像Ｉ２１を表示する。画像Ｉ２１は、画像Ｉ１１に対する修正事項及び追加事項が反映されたものである。
【００９２】
また、現地調査中又は現地調査後に、上記改修案に基づく改修及び上記改定案に基づく改定が行われた場合、その旨を示す情報（すなわち第２入力情報）が現場担当者により入力済みである。この場合、ユーザインタフェース制御部４８は、画面Ｓ３内の領域Ａ２２に、当該行われた改修及び改定に関する情報を表示するものであっても良い。
【００９３】
また、ユーザインタフェース制御部４８は、画面Ｓ３内の領域Ａ２３に、画面Ｓ３に含まれる情報に付与されたタグを示すチェックボックスＣＢ２１を表示するものであっても良い。これにより、現場担当者は、これらの情報に付与されたタグを視覚的に認識することができる。
【００９４】
また、画面Ｓ３は、第２端末装置２に代えて又は加えて、現場担当者用の他の端末装置（不図示）に表示されるものであっても良い。また、画面Ｓ３は、第２端末装置２に代えて、表示装置５に表示されるものであっても良い。
【００９５】
図１１は、第２端末装置２における、製造中の入力用の画面Ｓ４の例を示している。より具体的には、画面Ｓ４は、報告情報の入力用の画面である。
【００９６】
ユーザインタフェース制御部４８は、画面Ｓ４の表示を指示する操作が第２端末装置２に入力されたとき、画面Ｓ４を第２端末装置２に表示させる。現場担当者は、画面Ｓ４内の領域Ａ３１に対する操作入力により、報告の内容を入力するとともに、報告先を設定する。図中「送信」ボタンの押下により、これらの内容を含む情報、すなわち報告情報がサーバ装置３に送信される。図１１に示す例においては、不具合に関する報告情報がサーバ装置３に送信される。
【００９７】
このとき、タグ付与部４２は、報告情報に対して、当該不具合が発生したエレベータの機種を示すタグ、当該不具合が発生したエレベータの型名を示すタグ、当該不具合が発生した工法を示すタグ、及び当該不具合が発生した製造工程を示すタグなどを自動的に付与する。当該付与されるタグは、第２端末装置２にて画面Ｓ４が表示される前に表示されていた画面に含まれる情報、及び、共有対象情報データベース４４内のスケジュール情報などに基づき選択される。すなわち、情報共有支援システム２００においては、これらの情報も共有対象情報であり、タグが付与されている。このため、これらの情報に付与されているタグを参照することにより、又は、これらの情報に付与されているタグと同一のタグが付与されている情報を参照することにより、当該不具合が発生したエレベータの機種、当該不具合が発生したエレベータの型名、当該不具合が発生した工法、及び当該不具合が発生した製造工程などを判定することができる。
【００９８】
ただし、ユーザインタフェース制御部４８は、画面Ｓ４内の領域Ａ３２に、タグ選択用のチェックボックスＣＢ３１を表示するものであっても良い。これにより、現場担当者は、報告情報に付与されるタグを追加又は削除することができる。
【００９９】
また、図１１に示す如く、画面Ｓ４は、不具合が発生した箇所の写真Ｉ３１をサーバ装置３にアップロードする機能を有している。写真Ｉ３１は、例えば、第２端末装置２の撮像部２６により撮像されるものである。
【０１００】
なお、画面Ｓ４を用いた報告は、開発者による現場担当者に対する報告依頼に応じて実行されるものであっても良い。この場合、報告情報に付与されるタグは、開発者により画面Ｓ４の表示前に（例えば報告の依頼時に）選択されたものであっても良い。
【０１０１】
図１２は、第１端末装置１における、不具合に対する対策検討時の入力用の画面Ｓ５の例を示している。
【０１０２】
開発者は、画面Ｓ５に対する操作入力により、対策検討情報を入力する。タグ付与部４２は、対策検討情報を履歴として参照することが可能となるようなタグを自動的に選択して、当該選択されたタグを対策検討情報に付与する。これにより、現場担当者は、第２端末装置２を用いて、過去に発生した不具合に対する開発者による対策の検討過程及び検討結果を、履歴として閲覧することができる。
【０１０３】
ただし、ユーザインタフェース制御部４８は、画面Ｓ５内の領域Ａ４１に、タグ選択用のチェックボックスＣＢ４１を表示するものであっても良い。これにより、開発者は、対策検討情報に付与されるタグを追加又は削除することができる。
【０１０４】
図１３は、第２端末装置２における、仕様等を表示する画面Ｓ６の例を示している。
【０１０５】
ユーザインタフェース制御部４８は、共有対象情報データベース４４内の仕様等情報を含む画面Ｓ６を第２端末装置２に表示させる機能を有している。画面Ｓ６は、原則、共有対象情報データベース４４内の全ての仕様等情報を含むものである。また、画面Ｓ６においては、原則、個々のエレベータの製造工程に基づく順序に仕様等情報が並べて配置される。この配置は、個々の仕様等情報に、対応するエレベータの機種を示すタグ、対応するエレベータの型名を示すタグ、対応する工法を示すタグ、及び対応する製造工程を示すタグなどが付与されていることにより実現されるものである。
【０１０６】
ここで、ユーザインタフェース制御部４８は、画面Ｓ６内の領域Ａ５１に、画面Ｓ６の閲覧者の属性を選択するためのチェックボックスＣＢ５１を表示させる。ユーザインタフェース制御部４８は、チェックボックスＣＢ５１により選択された属性に応じて、画面Ｓ６における個々の仕様等情報の表示有無又は表示態様をタグにより設定する機能を有している。
【０１０７】
すなわち、チェックボックスＣＢ５１に含まれる複数の属性の各々は、上記複数のタグのうちの一以上のタグと対応している。ユーザインタフェース制御部４８は、仕様等情報のうちの選択された属性に対応するタグが付与された情報を画面Ｓ６における表示対象に含めるとともに、仕様等情報のうちの残余の情報を画面Ｓ６における表示対象から除外する。または、ユーザインタフェース制御部４８は、仕様等情報のうちの選択された属性に対応するタグが付与された情報を画面Ｓ６にてハイライト表示するとともに、仕様等情報のうちの残余の情報を画面Ｓ６にて非ハイライト表示（例えばグレーアウト表示）する。これにより、例えば、以下のような表示が実現される。
【０１０８】
例えば、図中「ベテラン」属性が選択された場合、仕様等情報のうちの応用的な内容を含む情報（例えば、個々の製造現場における固有の仕様等に関する情報）のみが画面Ｓ６に表示される。
【０１０９】
または、例えば、図中「初心者」属性が選択された場合、仕様等情報のうちの基本的な内容を含む情報（例えば、複数の製造現場における共通の仕様等に関する情報）が画面Ｓ６に表示されるとともに、仕様等情報のうちの応用的な内容を含む情報が画面Ｓ６から除外される。または、この場合、仕様等情報のうちの基本的な内容を含む情報が画面Ｓ６にてハイライト表示されるとともに、仕様等情報のうちの応用的な内容を含む情報が画面Ｓ６にて非ハイライト表示される。
【０１１０】
または、例えば、図中「工事管理者」属性が選択された場合、仕様等情報のうちの製造現場における工事に関連する情報が画面Ｓ６に表示されるとともに、仕様等情報のうちの残余の情報が画面Ｓ６から除外される。または、この場合、仕様等情報のうちの製造現場における工事に関連する情報が画面Ｓ６にてハイライト表示されるとともに、仕様等情報のうちの残余の情報が画面Ｓ６にて非ハイライト表示される。
【０１１１】
または、例えば、図中「施設管理者」属性が選択された場合、仕様等情報のうちの建物に関連する情報が画面Ｓ６に表示されるとともに、仕様等情報のうちの残余の情報が画面Ｓ６から除外される。または、この場合、仕様等情報のうちの建物に関連する情報が画面Ｓ６にてハイライト表示されるとともに、仕様等情報のうちの残余の情報が画面Ｓ６にて非ハイライト表示される。
【０１１２】
また、ユーザインタフェース制御部４８は、画面Ｓ６内の領域Ａ５２に、タグ選択用のチェックボックスＣＢ５２を表示させる。このチェックボックスＣＢ５２は、複数のタグのうちの共有対象情報検索部４５による検索処理の対象となる一以上のタグを選択するためのチェックボックスである。すなわち、チェックボックスＣＢ５２により一以上のタグを選択する操作は、検索処理の実行を指示する操作でもある。
【０１１３】
共有対象情報検索部４５は、共有対象情報データベース４４内の共有対象情報（より具体的には仕様等情報）のうち、チェックボックスＣＢ５２により選択されたタグが付与されている共有対象情報を検索する。ユーザインタフェース制御部４８は、検索処理の結果に応じて、画面Ｓ６における個々の仕様等情報の表示有無又は表示態様を設定する機能を有している。
【０１１４】
すなわち、ユーザインタフェース制御部４８は、仕様等情報のうちの検索処理の結果に含まれる情報を画面Ｓ６における表示対象に含めるとともに、仕様等情報のうちの残余の情報を画面Ｓ６における表示対象から除外する。または、ユーザインタフェース制御部４８は、仕様等情報のうちの検索処理の結果に含まれる情報を画面Ｓ６にてハイライト表示するとともに、仕様等情報のうちの残余の情報を画面Ｓ６にて非ハイライト表示する。
【０１１５】
なお、ユーザインタフェース制御部４８は、チェックボックスＣＢ５１により選択された属性に応じて、及び、共有対象情報検索部４５による検索処理の結果に応じて、画面Ｓ６における個々の仕様等情報の表示有無又は表示態様を設定するものであっても良い。これにより、例えば、以下のような表示が実現される。
【０１１６】
すなわち、図１３に示す例においては、チェックボックスＣＢ５１にて「初心者」属性が選択された状態であり、かつ、チェックボックスＣＢ５２にて「エレ機種××」タグが選択された状態である。この場合、ユーザインタフェース制御部４８は、仕様等情報のうち、「初心者」属性に対応するタグが付与されており、かつ、「エレ機種××」タグが付与されている情報を画面Ｓ６に表示させるとともに、残余の情報を画面Ｓ６から除外する。または、ユーザインタフェース制御部４８は、仕様等情報のうち、「初心者」属性に対応するタグが付与されており、かつ、「エレ機種××」タグが付与されている情報を画面Ｓ６にてハイライト表示するとともに、残余の情報を画面Ｓ６にて非ハイライト表示する。
【０１１７】
また、ユーザインタフェース制御部４８は、ソート処理の実行を指示するためのボタン等（不図示）を画面Ｓ６内に表示させるものであっても良い。共有対象情報ソート部４６は、当該ボタンを押下する操作に応じて、検索処理の結果に含まれる情報に対するソート処理を実行する。ユーザインタフェース制御部４８は、ソート処理の結果に応じて、画面Ｓ６における仕様等情報の配置順を変更する。
【０１１８】
また、現場担当者は、印刷機６を用いて、画面Ｓ６を所定サイズ（例えばＡ４サイズ）の用紙に印刷することができる。このとき、現場担当者は、検索処理及びソート処理の実行後の画面Ｓ６を印刷することにより、個々の製造現場毎に又は個々の現場担当者毎にカスタマイズされた仕様書又はマニュアル本などを作成することができる。
【０１１９】
そこで、ユーザインタフェース制御部４８は、これらの冊子の作成を支援する観点から、印刷後のレイアウトに基づき、第２端末装置２における画面Ｓ６の表示レイアウトを設定するものであっても良い。例えば、ユーザインタフェース制御部４８は、印刷後の各ページの端部にチェックボックスＣＢ５２が配置されるように、画面Ｓ６の表示レイアウトを設定する。これにより、印刷後の冊子における情報の検索性を向上することができる。
【０１２０】
また、画面Ｓ６は、第２端末装置２に代えて又は加えて、現場担当者用の他の端末装置（不図示）に表示されるものであっても良い。また、画面Ｓ６は、第２端末装置２に代えて又は加えて、表示装置５に表示されるものであっても良い。
【０１２１】
また、ユーザインタフェース制御部４８は、チェックボックスＣＢ５１により選択された属性に応じて、画面Ｓ６における表示内容を異ならしめるものであっても良い。例えば、ユーザインタフェース制御部４８は、図中「初心者」属性が選択された場合、画面Ｓ６にて、仕様等情報のうちの基本的な情報を示すアニメーション動画を再生するものであっても良い。他方、他の属性が選択された場合、ユーザインタフェース制御部４８は、当該アニメーション動画の再生をスキップするものであっても良い。
【０１２２】
また、図１３に示すユーザインタフェース（すなわち画面Ｓ６によるユーザインタフェース）は、共有対象情報データベース４４内の共有対象情報を表示する画面であれば、如何なる共有対象情報を表示する画面に用いられるものであっても良い。
【０１２３】
例えば、机上検討の結果を表示する画面が、図１３に示すものと同様のユーザインタフェースを有するものであっても良い。すなわち、机上検討の結果を表示する画面は、図１０に示す具体例に限定されるものではない。または、例えば、図面等を表示する画面、すなわち各種図面、各種リスト及び各種手続を表示する画面が、図１３に示すものと同様のユーザインタフェースを有するものであっても良い。
【０１２４】
図１４は、第１端末装置１における、各種図面を表示する画面Ｓ７の例を示している。
【０１２５】
上記のとおり、開発者は、開発用の各種図面を作成又は取得するとともに、製造用の各種図面を作成又は取得して、これらの図面を示す情報（すなわち図面情報）を第１端末装置１に入力する。ユーザインタフェース制御部４８は、これらの図面のうちの一以上の図面（以下「表示対象図面」ということがある。）の表示を指示する操作が第１端末装置１に入力されたとき、表示対象図面を含む画面Ｓ７を第１端末装置１に表示させる機能を有している。
【０１２６】
ここで、上記のとおり、開発部門は複数の部署を含むものである。表示対象図面が複数である場合、上記複数の部署の各々にとって、当該複数の表示対象図面のうちの一部の図面が有用である一方、残余の図面が不要である可能性がある。
【０１２７】
そこで、タグ付与部４２は、個々の図面情報が入力されたとき、上記複数の部署のうちの対応する部署を示すタグを当該入力された図面情報に付与する。このとき、タグ付与部４２は、個々の図面情報に含まれる文字列に基づき、個々の図面に対応する部署（すなわち個々の図面情報に付与されるタグ）を自動的に選択するものであっても良い。または、例えば、個々の図面情報の入力用の画面にタグ選択用のチェックボックスが含まれており、個々の図面情報に付与されるタグが第１入力者の操作により選択されるものであっても良い。
【０１２８】
ユーザインタフェース制御部４８は、複数の表示対象図面に対応する複数の図面情報の各々に付与されたタグに基づき、複数の表示対象図面の各々の表示態様又は表示有無を設定する。これにより、例えば、以下のような表示が実現される。
【０１２９】
例えば、ユーザインタフェース制御部４８は、複数の表示対象図面のうち、第１端末装置１が設置されている部署（すなわち画面Ｓ７の閲覧者が所属している蓋然性が高い部署）に対応する図面と残余の図面とを互いに異なる色にて表示する。または、例えば、ユーザインタフェース制御部４８は、複数の表示対象図面のうち、第１端末装置１が設置されている部署に対応する図面をハイライト表示するとともに、残余の図面を非ハイライト表示する。または、例えば、ユーザインタフェース制御部４８は、複数の表示対象図面のうち、第１端末装置１が設置されている部署に対応する図面を画面Ｓ７に含めるとともに、残余の図面を画面Ｓ７から除外する。これにより、画面Ｓ７の閲覧者は、複数の表示対象図面のうちの自身が所属している部署に関連する図面を視覚的に容易に認識することができる。
【０１３０】
なお、画面Ｓ７は、第１端末装置１に代えて又は加えて、開発者用の他の端末装置（不図示）に表示されるものであっても良い。また、画面Ｓ７は、第１端末装置１に代えて又は加えて、開発者用の表示装置（不図示）に表示されるものであっても良い。
【０１３１】
図１５は、第１端末装置１における、仕様等の見直しを推奨する画面Ｓ８の例を示している。
【０１３２】
制御部３２は、共有対象情報データベース４４内の個々の仕様等情報について、現場担当者による閲覧回数及び印刷回数をカウントする機能を有している。
【０１３３】
ここで、特定の仕様情報の閲覧回数が他の仕様情報の閲覧回数に比して多い場合、当該特定の仕様情報に対応するエレベータ又は物品に関連する作業が現場担当者にとって複雑若しくは煩雑であるか、又は当該特定の仕様情報の内容若しくは形式が現場担当者にとって分かりにくいものである可能性がある。また、特定のマニュアル情報の閲覧回数が他のマニュアル情報の閲覧回数に比して多い場合、当該特定のマニュアル情報に基づく作業が現場担当者にとって複雑若しくは煩雑であるか、当該特定のマニュアル情報の内容若しくは形式が現場担当者にとって分かりにくいものである可能性がある。印刷回数についても同様である。
【０１３４】
そこで、制御部３２は、閲覧回数又は印刷回数が所定回数を超えた仕様等情報が存在する場合、当該仕様等情報が示す仕様等について、開発者に見直しを推奨する機能を有している。また、このとき、制御部３２は、当該仕様等情報に付与されたタグと同一のタグ（例えば、同一の機種を示すタグ、同一のオプションを示すタグ、同一の建築状態を示すタグ）が付与された仕様等情報が示す仕様等についても、開発者に見直しを推奨する。これらの見直しにより、上記のような問題の解消を図るものである。
【０１３５】
また、制御部３２は、共有対象情報データベース４４内に蓄積された報告情報を用いて、所定の条件毎に（例えば、エレベータの機種毎に、エレベータのオプション毎に、又は建物の建築状毎に）、不具合の発生件数をカウントする機能を有している。制御部３２は、不具合の発生件数が所定件数を超えた条件が存在する場合、当該条件に対応するタグが付与された仕様等情報が示す仕様等について、開発者に見直しを推奨する機能を有している。画面Ｓ８は、この場合における、見直しを推奨する画面の例を示している。
【０１３６】
上記のとおり、報告情報は、不具合が発生した箇所の写真を含むものである。図１５に示す如く、画面Ｓ８は、これらの写真を含むものであっても良い。
【０１３７】
また、制御部３２は、仕様等の見直しを推奨するとき、当該推奨される見直しによる費用対効果を算出するものであっても良い。ユーザインタフェース制御部４８は、当該算出された費用対効果を示す画像を画面Ｓ８に含めるものであっても良い。
【０１３８】
次に、図１６を参照して、投影装置７により投影される画像Ｉ９の例について説明する。
【０１３９】
制御部３２は、共有対象情報データベース４４内のスケジュール情報などを参照して、個々の製造現場における現在の製造工程を判定する。ユーザインタフェース制御部４８は、共有対象情報データベース４４内の仕様等情報のうちの当該判定された製造工程に対応する情報を示す画像Ｉ９の投影を投影装置７に指示する。投影装置７は、当該指示に基づき、画像Ｉ９を、エレベータのカゴ内の壁面部、又はエレベータ用の坑内の壁面部に投影する。これにより、例えば、個々の製造現場における複数の現場担当者による仕様等情報の共有を促進することができる。
【０１４０】
なお、投影装置７は、共有対象情報データベース４４内の共有対象情報であれば、如何なる情報を示す画像を投影するものであっても良い。例えば、投影装置７は、現在の製造工程に対応する図面情報などを示す画像を投影するものであっても良い。現場担当者は、当該投影された画像を用いて、現場担当者にとってのクライアント（例えば建築設計事務所又は施主）に対して、製造現場にて各種説明を行うことができる。
【０１４１】
次に、情報共有支援システム２００が有するそのほかの機能について説明する。
【０１４２】
（１）開発者は、個々のエレベータの仕様又は個々の物品の仕様を改定することがある。ユーザインタフェース制御部４８は、当該改定された仕様を示す仕様情報の入力画面において、一括更新処理の実行を指示するボタンを表示するものであっても良い。共有対象情報更新部４７は、当該ボタンが押下された場合、当該改定された仕様を示す仕様情報を更新するとともに、共有対象情報データベース４４内の共有対象情報のうちの当該仕様が改定されたエレベータ又は物品に関連する情報について、一括更新処理を実行するものであっても良い。
【０１４３】
（２）ユーザインタフェース制御部４８は、改定前の仕様情報と改定後の仕様情報とが混在する画面を表示させるとき、改定前の仕様情報を非ハイライト表示するとともに、改定後の仕様情報をハイライト表示するものであっても良い。
【０１４４】
（３）第２端末装置２は、製造中の各日に、その日の製造工程における注意事項に関連する情報、及び安全確認事項に関連などを自動的に読み上げるものであっても良い。
【０１４５】
（４）スマートグラス（すなわち第２端末装置２）を装着した現場担当者の視界内に、エレベータの製造に用いられる物品が入ったとき、当該スマートグラスのＨＵＤにおいて、当該物品を強調するようなＡＲ（Ａｕｇｍｅｎｔｅｄ  Ｒｅａｌｉｔｙ）表示（例えば当該物品を縁取りするようなＡＲ表示）が自動的になされるものであっても良い。これとともに、当該部品を用いる製造工程に対する前後の製造工程を示す情報などが、ＨＵＤに表示されたり、第２端末装置２により自動的に読み上げられたりするものであっても良い。
【０１４６】
次に、図１７〜図１８を参照して、情報共有支援装置１００の変形例について説明する。
【０１４７】
共有対象情報取得部４１、共有対象情報検索部４５、共有対象情報ソート部４６、共有対象情報更新部４７及びユーザインタフェース制御部４８の各々は、制御部３２内にて情報共有支援装置１００外に設けられているものであっても良い。これにより、例えば、図１７に示す如く、タグ付与部４２、共有対象情報管理部４３、共有対象情報検索部４５及びユーザインタフェース制御部４８により情報共有支援装置１００の要部が構成されているものであっても良い。または、例えば、図１８に示す如く、タグ付与部４２及び共有対象情報管理部４３により情報共有支援装置１００の要部が構成されているものであっても良い。
【０１４８】
次に、情報共有支援システム２００の変形例について説明する。
【０１４９】
共有対象情報取得部４１、タグ付与部４２、共有対象情報管理部４３、共有対象情報検索部４５、共有対象情報ソート部４６、共有対象情報更新部４７及びユーザインタフェース制御部４８の機能のうちの少なくとも一部の機能が、サーバ装置３の制御部３２に代えて、第１端末装置１の制御部１２にて実現されるものであっても良い。また、これらの機能のうちの少なくとも一部の機能が、サーバ装置３の制御部３２に代えて、第２端末装置２の制御部２２にて実現されるものであっても良い。
【０１５０】
また、製造対象機器はエレベータに限定されるものではなく、如何なる機器であっても良い。
【０１５１】
以上のように、実施の形態１の情報共有支援装置１００は、製造対象機器の開発及び製造に関する複数の共有対象情報の共有を支援する情報共有支援装置１００であって、複数の共有対象情報の各々に複数のタグのうちの選択されたタグを付与するタグ付与部４２と、複数の共有対象情報の各々に付与されたタグに基づき、複数の共有対象情報を相互に関連付けて管理する共有対象情報管理部４３と、を備え、複数の共有対象情報は、基本共有対象情報と、製造対象機器の製造現場の担当者（現場担当者）により基本共有対象情報に対して追加的に入力される追加共有対象情報と、含み、追加共有対象情報に付与されるタグは、対応する基本共有対象情報に付与されたタグを含む。これにより、開発者及び現場担当者による共有対象情報の共有を促進することができる。特に、開発者が、製造現場にて作成又は取得された情報（すなわち追加共有対象情報）を現場担当者と共有することがきる。また、他の現場担当者も、これらの情報を共有することができる。また、タグを用いることにより、共有対象情報の検索性を向上することができる。
【０１５２】
また、タグ付与部４２は、複数の共有対象情報の各々に付与されるタグを自動的に選択する機能を有する。これにより、例えば、現場担当者が製造現場にてタグを選択する操作を不要とすることができる。
【０１５３】
また、情報共有支援装置１００は、複数の共有対象情報を含む画面Ｓ６を担当者（現場担当者）用の端末装置（第２端末装置２）又は表示装置５に表示させる制御を実行するユーザインタフェース制御部４８を備え、画面Ｓ６において、複数の共有対象情報の各々に付与されたタグに基づき、複数の共有対象情報が製造対象機器の製造工程に基づく順序に配置される。これにより、例えば、図１３に示すユーザインタフェースを実現することができる。
【０１５４】
また、情報共有支援装置１００は、複数の共有対象情報の各々に付与されたタグに基づき、複数の共有対象情報に対する検索処理を実行する共有対象情報検索部４５を備え、ユーザインタフェース制御部４８は、検索処理の結果に応じて、画面Ｓ６における複数の共有対象情報の各々の表示態様又は表示有無を設定する。これにより、検索処理の結果に応じて、画面Ｓ６の閲覧性を向上することができる。
【０１５５】
また、画面Ｓ６は、複数のタグのうちの検索処理の対象となるタグを選択するチェックボックスＣＢ５２を含む。これにより、画面Ｓ６の閲覧者は、検索処理の対象となるタグを容易に選択することができる。
【０１５６】
また、画面Ｓ６は、画面Ｓ６の閲覧者の属性を選択するチェックボックスＣＢ５１を含み、ユーザインタフェース制御部４８は、複数のタグのうちのチェックボックスＣＢ５１により選択された属性に対応するタグに応じて、画面Ｓ６における複数の共有対象情報の各々の表示態様又は表示有無を設定する。これにより、画面Ｓ６の閲覧者の属性に応じて、画面Ｓ６の閲覧性を向上することができる。
【０１５７】
また、実施の形態１に係る情報共有支援システム２００は、製造対象機器の開発及び製造に関する複数の共有対象情報の共有を支援する情報共有支援システム２００であって、複数の共有対象情報の各々に複数のタグのうちの選択されたタグを付与するタグ付与部４２と、複数の共有対象情報の各々に付与されたタグに基づき、複数の共有対象情報を相互に関連付けて管理する共有対象情報管理部４３と、を備え、複数の共有対象情報は、基本共有対象情報と、製造対象機器の製造現場の担当者（現場担当者）により基本共有対象情報に対して追加的に入力される追加共有対象情報と、含み、追加共有対象情報に付与されるタグは、対応する基本共有対象情報に付与されたタグを含む。これにより、情報共有支援装置１００による上記効果と同様の効果を得ることができる。
【０１５８】
実施の形態２．
図１９は、実施の形態２に係る情報共有支援システムのシステム構成を示す説明図である。図２０は、実施の形態２に係る情報共有支援システムに含まれるサーバ装置の要部を示すブロック図である。図２１は、実施の形態２に係る情報共有支援装置の要部を示すブロック図である。図１９〜図２１を参照して、実施の形態２の情報共有支援装置１００ａ及び情報共有支援システム２００ａについて説明する。
【０１５９】
なお、図１９において、図１に示す構成要素と同様の構成要素には同一符号を付して説明を省略する。また、情報共有支援システム２００ａに含まれる第１端末装置１の構成は、実施の形態１にて図２を参照して説明したものと同様であるため、図示及び説明を省略する。また、情報共有支援システム２００ａに含まれる第２端末装置２の構成は、実施の形態１にて図３を参照して説明したものと同様であるため、図示及び説明を省略する。また、図２０において、図４に示すブロックと同様のブロックには同一符号を付して説明を省略する。また、図２１において、図５に示すブロックと同様のブロックには同一符号を付して説明を省略する。
【０１６０】
図１９に示す如く、情報共有支援システム２００ａは、現場担当者用のコードリーダ８を含むものであっても良い。コードリーダ８は、例えば、バーコード等の一次元コード用のリーダ、ＱＲコード（登録商標）等の二次元コード用のリーダ、又はＰＭコード（登録商標）等の三次元コード用のリーダにより構成されている。コードリーダ８は、コンピュータネットワーク４により、サーバ装置３と通信自在である。なお、コードリーダ８は、第２端末装置２を介してサーバ装置３と通信自在なものであっても良い。
【０１６１】
図２１に示す如く、情報共有支援装置１００ａは、識別コード生成部５１を有している。識別コード生成部５１は、個々のエレベータの製造に用いられる個々の物品（治具、工具、部品等）について、識別用の一次元コード、識別用の二次元コード、又は識別用の三次元コード（以下総称して「識別コード」という。）を生成するものである。
【０１６２】
情報共有支援システム２００ａにおいて、識別コード生成部５１により生成された個々の識別コードを示す情報（以下「識別コード情報」という。）は、共有対象情報として共有対象情報データベース４４に記憶される。すなわち、タグ付与部４２は、個々の識別コード情報に対して、対応する物品を示すタグを付与する。
【０１６３】
通常、個々の物品は、個々の物品を取り扱うメーカ又は商社など（以下総称して「発送者」ということがある。）により、対応する製造現場に発送される。このとき、開発者は、個々の物品の発送者に対して、対応する物品を示す識別コードを通知する。個々の物品の発送者は、対応する物品を発送するとき、当該通知された識別コードを添付する。または、個々の物品の発送者は、対応する物品を発送するとき、当該通知された識別コードを梱包資材（例えば木箱又は段ボール）に貼付する。
【０１６４】
現場担当者は、個々の物品が製造現場に届けられたとき、第２端末装置２の撮像部２６又はコードリーダ８を用いて、当該添付又は貼付された識別コードを読み取る。第２端末装置２又はコードリーダ８は、当該読み取られた識別コードを示す識別コード情報などをサーバ装置３に送信する。これに対して、制御部３２ａは、共有対象情報データベース４４内の共有対象情報のうち、当該読み取られた識別コードが示す物品に関連する情報（すなわち当該物品を示すタグが付与された情報）を抽出する。ユーザインタフェース制御部４８は、当該抽出された情報のうちの少なくとも一部の情報を含む画面を第２端末装置２に表示させる制御を実行する。
【０１６５】
例えば、ユーザインタフェース制御部４８は、当該物品を示す情報を含む画面を第２端末装置２に表示させる。これにより、梱包資材に識別コードが貼付されている場合、現場担当者は、当該梱包資材による梱包を開封することなく、当該梱包の中身を確認ことができる。これにより、製造現場にて不要な開封作業が発生するのを回避することができる。
【０１６６】
また、例えば、ユーザインタフェース制御部４８は、当該物品の仕様を示す情報を含む画面を第２端末装置２に表示させる。これにより、現場担当者は、当該物品の最新の仕様を確認することができる。
【０１６７】
すなわち、従来、物品の発送と当該物品の仕様を示す仕様書の発送とが別個に行われるものであった。このため、物品の発送タイミングと仕様書の発送タイミングとのずれなどに起因して、当該物品の仕様が改定されたにもかかわらず、改定前の仕様を示す仕様書が発送されることがあるという問題があった。情報共有支援システム２００ａにより、このような問題を解消することができる。
【０１６８】
また、例えば、ユーザインタフェース制御部４８は、当該物品を用いる作業のマニュアルを示す情報、当該物品を用いる作業が行われる予定の日時を示す情報、又は当該物品が用いられる製造工程を示す情報などを含む画面を第２端末装置２に表示させる。これにより、現場担当者は、これらの情報を確認することができる。
【０１６９】
共有対象情報取得部４１、タグ付与部４２、共有対象情報管理部４３、共有対象情報検索部４５、共有対象情報ソート部４６、共有対象情報更新部４７及び識別コード生成部５１により、情報共有支援制御部４９ａの要部が構成されている。ユーザインタフェース制御部４８及び情報共有支援制御部４９ａにより、制御部３２ａの要部が構成されている。また、ユーザインタフェース制御部４８及び情報共有支援制御部４９ａにより、情報共有支援装置１００ａの要部が構成されている。通信部３１及び制御部３２ａにより、サーバ装置３ａの要部が構成されている。
【０１７０】
情報共有支援装置１００ａの要部のハードウェア構成は、実施の形態１にて図６を参照して説明したものと同様であるため、図示及び説明を省略する。すなわち、識別コード生成部５１の機能は、プロセッサ６１及びメモリ６２により実現されるものであっても良く、又は専用の処理回路６４により実現されるものであっても良い。
【０１７１】
次に、図２２のフローチャートを参照して、情報共有支援装置１００ａの動作について説明する。
【０１７２】
図２２Ａは、識別コード生成部５１の動作を示している。図２２Ａに示す如く、識別コードの生成を指示する操作が第１端末装置１に入力されたとき（例えば、個々の物品に関する情報の入力用の画面において、識別コードの生成を指示するボタンが押下されたとき）（ステップＳＴ５１“ＹＥＳ”）、識別コード生成部５１は、対応する物品を示す識別コートを生成する（ステップＳＴ５２）。
【０１７３】
図２２Ｂは、ユーザインタフェース制御部４８等の動作を示している。図２２Ｂに示す如く、複数の物品のうちのいずれかの物品を示す識別コードが第２端末装置２又はコードリーダ８により読み取られたとき（ステップＳＴ６１“ＹＥＳ”）、制御部３２ａは、共有対象情報データベース４４内の共有対象情報のうち、当該読み取られた識別コードが示す物品に関連する情報（すなわち当該物品を示すタグが付与された情報）を抽出する（ステップＳＴ６２）。次いで、ユーザインタフェース制御部４８は、当該抽出された情報のうちの少なくとも一部の情報（例えば仕様情報）を含む画面を第２端末装置２に表示させる制御を実行する（ステップＳＴ６３）。
【０１７４】
なお、情報共有支援装置１００ａは、実施の形態１にて説明したものと同様の種々の変形例を採用することができる。
【０１７５】
例えば、共有対象情報取得部４１、共有対象情報検索部４５、共有対象情報ソート部４６、共有対象情報更新部４７、ユーザインタフェース制御部４８及び識別コード生成部５１の各々は、制御部３２ａ内にて情報共有支援装置１００ａ外に設けられているものであっても良い。これにより、図２３に示す如く、タグ付与部４２、共有対象情報管理部４３、共有対象情報検索部４５及びユーザインタフェース制御部４８により情報共有支援装置１００ａの要部が構成されているものであっても良い。または、図２４に示す如く、タグ付与部４２及び共有対象情報管理部４３により情報共有支援装置１００ａの要部が構成されているものであっても良い。
【０１７６】
また、情報共有支援システム２００ａは、実施の形態１にて説明したものと同様の種々の変形例を採用することができる。
【０１７７】
例えば、共有対象情報取得部４１、タグ付与部４２、共有対象情報管理部４３、共有対象情報検索部４５、共有対象情報ソート部４６、共有対象情報更新部４７、ユーザインタフェース制御部４８及び識別コード生成部５１の機能のうちの少なくとも一部の機能が、サーバ装置３ａの制御部３２ａに代えて、第１端末装置１の制御部１２にて実現されるものであっても良い。また、これらの機能のうちの少なくとも一部の機能が、サーバ装置３ａの制御部３２ａに代えて、第２端末装置２の制御部２２にて実現されるものであっても良い。
【０１７８】
以上のように、実施の形態２の情報共有支援装置１００ａにおいて、複数の共有対象情報は、製造対象機器の製造に用いられる複数の物品に対応する複数の識別コードを示す情報（識別コード情報）を含み、情報共有支援装置１００ａは、複数の識別コードのうちのいずれかの識別コードが担当者（現場担当者）用の端末装置（第２端末装置２）又はコードリーダ８により読み取られたとき、複数の共有対象情報の各々に付与されたタグに基づき、複数の共有対象情報のうちの当該読み取られた識別コードに対応する物品に関連する情報を含む画面を端末装置（第２端末装置２）に表示させる制御を実行するユーザインタフェース制御部４８を備える。これにより、製造現場にて不要な開封作業が発生するのを回避することができる。また、現場担当者が最新の仕様を確認することができる。
【０１７９】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【０１８０】
本発明の情報共有支援装置及び情報共有支援システムは、例えば、エレベータの開発及び製造に用いることができる。
【符号の説明】
【０１８１】
１  第１端末装置、２  第２端末装置、３，３ａ  サーバ装置、４  コンピュータネットワーク、５  表示装置、６  印刷機、７  投影装置、８  コードリーダ、１１  通信部、１２  制御部、１３  操作入力部、１４  表示部、２１  通信部、２２  制御部、２３  操作入力部、２４  表示部、２５  音声出力部、２６  撮像部、３１  通信部、３２，３２ａ  制御部、４１  共有対象情報取得部、４２  タグ付与部、４３  共有対象情報管理部、４４  共有対象情報データベース（共有対象情報ＤＢ）、４５  共有対象情報検索部、４６  共有対象情報ソート部、４７  共有対象情報更新部、４８  ユーザインタフェース制御部（ＵＩ制御部）、４９，４９ａ  情報共有支援制御部、５１  識別コード生成部、６１  プロセッサ、６２  メモリ、６３  メモリ、６４  処理回路、１００，１００ａ  情報共有支援装置、２００，２００ａ  情報共有支援システム。
【図１】
0006915188.tif 000002
【図２】
0006915188.tif 000003
【図３】
0006915188.tif 000004
【図４】
0006915188.tif 000005
【図５】
0006915188.tif 000006
【図６Ａ】
0006915188.tif 000007
【図６Ｂ】
0006915188.tif 000008
【図７Ａ】
0006915188.tif 000009
【図７Ｂ】
0006915188.tif 000010
【図７Ｃ】
0006915188.tif 000011
【図７Ｄ】
0006915188.tif 000012
【図７Ｅ】
0006915188.tif 000013
【図８】
0006915188.tif 000014
【図９】
0006915188.tif 000015
【図１０】
0006915188.tif 000016
【図１１】
0006915188.tif 000017
【図１２】
0006915188.tif 000018
【図１３】
0006915188.tif 000019
【図１４】
0006915188.tif 000020
【図１５】
0006915188.tif 000021
【図１６】
0006915188.tif 000022
【図１７】
0006915188.tif 000023
【図１８】
0006915188.tif 000024
【図１９】
0006915188.tif 000025
【図２０】
0006915188.tif 000026
【図２１】
0006915188.tif 000027
【図２２Ａ】
0006915188.tif 000028
【図２２Ｂ】
0006915188.tif 000029
【図２３】
0006915188.tif 000030
【図２４】
0006915188.tif 000031